(57)【特許請求の範囲】
【請求項１】
炉内に被処理物の搬送路が上下二段で形成された熱処理炉の開閉扉であって、該開閉扉が上段の搬送路と下段の搬送路とに兼用の一枚物からなり、上段の搬送路を開くときにはその分だけ下降し、下段の搬送路を開くときにはその分だけ上昇するように構成して成ることを特徴とする熱処理炉の開閉扉。
【発明の詳細な説明】
【０００１】
【発明の属する技術分野】
本発明は熱処理炉の開閉扉に関する。例えば金属材料をトレーに載置して炉内搬送しつつ連続的に熱処理する場合、炉内に搬送用ローラが敷設されたトンネル形の熱処理炉が使用される。このような熱処理炉には、その設置面積を小さくし、生産性及び熱効率を向上するため、炉内に被処理物の搬送路が上下二段で形成されたものもある。本発明はかかる熱処理炉の開閉扉に関する。
【０００２】
【従来の技術】
従来、炉内に被処理物の搬送路が上下二段で形成された熱処理炉の開閉扉として、上段の搬送路用開閉扉と下段の搬送路用開閉扉との二つの開閉扉が使用されている。これらの開閉扉は、上段の搬送路を開くときには上段の開閉扉を上昇させ、また下段の搬送路を開くときには下段の開閉扉を下降させるというもので、したがって炉内に被処理物の搬送路が上下二段で形成された従来の熱処理炉では、開閉扉及びその昇降機構が上段の搬送路用と下段の搬送路用とでそれぞれ別個に二組装備されている。ところが、かかる従来の開閉扉には、その昇降機構も含めて、上段の搬送路用と下段の搬送路用とでそれぞれ別個に二組装備するため、設備費が嵩む、構造が複雑である、故障の発生頻度が高いという欠点がある。
【０００３】
【発明が解決しようとする課題】
本発明が解決しようとする課題は、炉内に被処理物の搬送路が上下二段で形成された熱処理炉における従来の開閉扉では、開閉扉及びその昇降機構を上段の搬送路用と下段の搬送路用とでそれぞれ別個に二組装備するため、設備費が嵩む、構造が複雑である、故障の発生頻度が高いという点である。
【０００４】
【課題を解決するための手段】
しかして本発明は、炉内に被処理物の搬送路が上下二段で形成された熱処理炉の開閉扉であって、該開閉扉が上段の搬送路と下段の搬送路とに兼用の一枚物からなり、上段の搬送路を開くときにはその分だけ下降し、下段の搬送路を開くときにはその分だけ上昇するように構成して成ることを特徴とする熱処理炉の開閉扉に係る。
【０００５】
本発明に係る開閉扉は炉内に被処理物の搬送路が上下二段に形成された熱処理炉の入口や出口等に装備される。本発明に係る開閉扉は上段の搬送路と下段の搬送路とに兼用の一枚物からなっている。開閉扉及びその昇降機構を、従来のように上段の搬送路と下段の搬送路とでそれぞれ別個に二組装備するのではなく、双方の搬送路に兼用させて一組装備するのである。本発明に係る開閉扉は、上段の搬送路を開くときにはその分だけ下降し、逆に下段の搬送路を開くときにはその分だけ上昇するように構成されている。開閉扉の昇降それ自体にはシリンダ駆動やモータ駆動等の公知の駆動手段を適用でき、また開閉扉の昇降ストロークの制御それ自体にはタイマ、リミットスイッチ、光電管等の公知の規制手段を適用できる。
【０００６】
本発明によると、開閉扉及びその昇降機構を上段の搬送路と下段の搬送路とに兼用させて一組装備するだけであるため、設備費を低減でき、また構造を簡単にでき、そして故障の発生頻度を低くできる。
【０００７】
【発明の実施の形態】
図１は本発明に係る開閉扉を例示する正面図、図２は図１と同じ開閉扉を示す炉長方向の縦断面図である。図１及び図２に示した開閉扉は炉内に被処理物の搬送路が上下二段で形成された熱処理炉の入口に装備されている。熱処理炉１１は横長のトンネル形に構築されており、炉内には上下二段で搬送用ローラ２１，２２が敷設されていて、上段の搬送用ローラ２１の上部に被処理物を炉内搬送するための上段の搬送路３１が形成され、また上段の搬送用ローラ２１の下方における下段の搬送用ローラ２２の上部に被処理物を炉内搬送するための下段の搬送路３２が形成されている。
【０００８】
熱処理炉１１の正面側には上段の搬送路３１及び下段の搬送路３２に共用する入口４１が開設されており、入口４１を形成する熱処理炉１１の周縁部４２に開閉扉４３が摺接されている。図２において、入口４１の周縁部４２は右下がりに傾斜しており、したがって開閉扉４３は周縁部４２に自重で密着して入口４１をすなわち上下二段の搬送路３１，３２を閉じるようになっている。
【０００９】
熱処理炉１１の正面側上部には炉幅方向へシャフト５１が軸受されており、シャフト５１には大径のスプロケット５２，５３が取付けられていて、スプロケット５２，５３にチェーン６１，６２が係止されている。そして開閉扉４３は炉幅方向の両側でチェーン６１，６２の下端部に吊下げられている。シャフト５１の端部には大径のスプロケット５４が取付けられており、スプロケット５４にはチェーン６３が係止されていて、チェーン６３の下端部にバランスウエイト７１が吊下げられている。またシャフト５１にはスプロケット５３とスプロケット５４との間で小径のスプロケット５５（図面の場合にはスプロケット５２〜５４は同一径のもので、スプロケット５５はこれらのスプロケット５２〜５４の１／２径のもの）が取付けられており、スプロケット５５にはチェーン６４が係止されていて、チェーン６４の下端部は熱処理炉１１に取付けられたエアシリンダ７２のシリンダロッド７３の上端部に接続されている。そしてシャフト５１の円周部には４個の鍵片８１〜８４が配設されており、これらの鍵片８１〜８４は熱処理炉１１の正面側上部に炉幅方向へ並設されたリミットスイッチ９１〜９４を付勢するようになっている。
【００１０】
上段の搬送路３１を開くときには、制御装置（図示しない、以下同じ）を介してシリンダロッド７３を上昇させ、搬送路３１に相当分だけ開閉扉４３を自重で下降させる。この際の開閉扉４３の下降位置は鍵片８１がリミットスイッチ９１を付勢することにより制御する。開いた上段の搬送路３１を閉じて元に戻すときには、制御装置を介してシリンダロッド７３を下降させ、搬送路３１に相当分だけ開閉扉４３を上昇させる。この際の開閉扉４３の上昇位置は鍵片８２がリミットスイッチ９２を付勢することにより制御する。
【００１１】
下段の搬送路３２を開くときには、制御装置を介してシリンダロッド７３を下降させ、搬送路３２に相当分だけ開閉扉４３を上昇させる。この際の開閉扉４３の上昇位置は鍵片８３がリミットスイッチ９３を付勢することにより制御する。開いた下段の搬送路３２を閉じて元に戻すときには、制御装置を介してシリンダロッド７３を上昇させ、搬送路３２に相当分だけ開閉扉４３を自重で下降させる。この際の開閉扉４３の下降位置は鍵片８４がリミットスイッチ９４を付勢することにより制御する。
【００１２】
詳しい説明を省略するが、同様にして上段の搬送路３１及び下段の搬送路３２に相当分だけ開閉扉４３を昇降させることにより、双方の搬送路３１，３２を同時に開閉することもできる。
【００１３】
【発明の効果】
既に明らかなように、以上説明した本発明には、開閉扉及びその昇降機構を上段の搬送路と下段の搬送路とに兼用させて一組装備するだけであるため、設備費を低減でき、また構造を簡単にでき、そして故障の発生頻度を低くできるという効果がある。
【図面の簡単な説明】
【図１】本発明に係る開閉扉を例示する正面図。
【図２】図１と同じ開閉扉を示す炉長方向の縦断面図。
【符号の説明】
１１・・・熱処理炉、２１，２２・・・搬送用ローラー、３１，３２・・・搬送路、４１・・・入口、４３・・・開閉扉、５１・・・シャフト、５２〜５４・・・スプロケット、６１〜６４・・・チェーン、７１・・・バランスウエイト、７２・・・エアシリンダ
【図１】
0003932542.tif 000002
【図２】
0003932542.tif 000003